(57)【要約】【課題】ファクシミリ通信した画像データを閲覧できるシステムにおいて、画像データが機密の内容であると想定される場合に閲覧を制限する。【解決手段】ＰＣは、複合機におけるＲＡＭの共有領域にログデータが記録されたら（ｓ２１０）、画像データへのリンクが設けられたログページを生成（ｓ２７０）して配信する。このリンクは、ログテーブルに登録されたファイル（画像データ）へのリンクである。ログテーブルは、複合機のＲＡＭに記録されたログデータで特定される内容が登録されるが（ｓ２５０）、このログデータは、複合機が画像データを記録させてもよい通信内容であると判定した場合のみファイルを特定可能である。そのため、ＰＣは、複合機側で画像データを記録させてもよい通信内容であると判定された、つまり、通信回線網を介して公開してよいファイルに対してのみリンクの設けられたログページを生成できる。【選択図】図４
2004304321.tif 000002
【特許請求の範囲】
【請求項１】
ファクシミリ通信により送信または受信される画像データを記録する画像記録手段と、
ファクシミリ通信による画像データそれぞれの通信内容が該画像データに対応づけられた状態で一覧表示された表示態様であり、該一覧表示された通信内容のうち前記画像記録手段に記録されている画像データに対応する通信内容に対して、該画像データへのハイパーリンクが設けられたウェブページである一覧ページを生成するページ生成手段と、
該ページ生成手段により生成された一覧ページをネットワーク経由で配信可能なページ配信手段と、を備えた通信システムであって、
ファクシミリ通信による通信内容に基づき、該通信内容の画像データへのアクセスを許可すべきか否かを判定するアクセス判定手段を、備えており、
前記ページ生成手段は、前記アクセス判定手段によりアクセスを許可すべきと判定された通信内容に対してのみハイパーリンクが設けられた前記一覧ページを生成する
ことを特徴とする通信システム。
【請求項２】
前記通信内容とは、少なくとも画像データの送信先または送信元を示すものであり、
前記アクセス判定手段は、前記通信内容で示される画像データの送信先または送信元が特定の送信先または送信元である場合に、画像データへのアクセスを許可すべきではないと判定する
ことを特徴とする請求項１に記載の通信システム。
【請求項３】
ファクシミリ通信により送信または受信された画像データおよび該画像データの通信内容を前記画像記録手段に記録させる第１記録指令手段を、備えており、
前記アクセス判定手段は、ファクシミリ通信により画像データが送信または受信された際、該画像データへのアクセスを許可すべきか否かを判定して、
前記第１記録指令手段は、前記アクセス判定手段によりアクセスを許可すべきでないと判定された通信内容の場合、該通信内容のみを前記画像記録手段に記録させる一方、アクセスを許可すべきであると判定された通信内容の場合、該通信内容および該通信内容の画像データを対応づけた状態で前記画像記録手段に記録させる
ことを特徴とする請求項１または請求項２に記載の通信システム。
【請求項４】
ファクシミリ通信により画像データが送信または受信された際に、該画像データおよび該画像データの通信内容を対応づけた状態で前記画像記録手段に記録させる第２記録指令手段を、備えており、
前記アクセス判定手段は、前記画像記録手段に記録された通信内容に基づいて、該通信内容に対応する画像データへのアクセスを許可すべきか否かを判定する
ことを特徴とする請求項１または請求項２に記載の通信システム。
【請求項５】
前記第２記録指令手段は、前記アクセス判定手段によりアクセスを許可すべきであると判定された通信内容を、アクセスを許可すべき旨を特定可能な状態で前記画像記録手段に記録させる一方、アクセスを許可すべきでないと判定された通信内容を、アクセスを許可すべきでない旨を特定可能な状態で前記画像記録手段に記録させる
ことを特徴とする請求項４に記載の通信システム。
【請求項６】
前記ページ生成手段は、前記アクセス判定手段によりアクセスを許可すべきと判定された通信内容それぞれが一覧表示され、かつ、該通信内容それぞれにハイパーリンクが設けられた一覧ページである第１一覧ページ、および、アクセスを許可すべきでないと判定された通信内容それぞれが一覧表示され、かつ、該通信内容それぞれにハイパーリンクが設けられた一覧ページである第２一覧ページを生成して、
前記ページ配信手段は、前記第１一覧ページを無条件に配信する一方、前記第２一覧ページを特定の配信条件が満たされた場合のみ配信する
ことを特徴とする請求項４または請求項５に記載の通信システム。
【請求項７】
前記画像記録手段，前記アクセス判定手段および前記ページ生成手段を備える通信装置と、前記ページ配信手段を備える端末装置とが、データ通信可能に接続されてなる
ことを特徴とする請求項１または請求項２のいずれかに記載の通信システム。
【請求項８】
前記通信手段は、請求項３に記載の前記アクセス判定手段，前記第１記録指令手段および前記画像記録手段を備え、
前記端末装置は、請求項３に記載の前記ページ生成手段および前記ページ配信手段を備えている
ことを特徴とする請求項７に記載の通信システム。
【請求項９】
前記通信手段は、請求項４から６のいずれかに記載の前記第２記録指令手段および前記画像記録手段を備え、
前記端末装置は、請求項４から６のいずれかに記載の前記アクセス判定手段，前記ページ生成手段および前記ページ配信手段を備えている
ことを特徴とする請求項７のいずれかに記載の通信システム。
【請求項１０】
前記通信装置において、
前記画像記録手段は、当該通信装置に接続された前記端末装置にとって、該端末装置に接続された外部記録装置として認識されるように構成されており、
前記端末装置においては、
各種データを記録するデータ記録手段と、
前記通信装置の備える前記画像記録手段にデータが記録された際に、該データを前記データ記録手段に記録させる第３記録指令手段と、
該第３記録指令手段によりデータの記録が行われた際に、該記録が行われたデータを前記通信装置の備える前記画像記録手段から削除する削除指令手段と、が備えられている
ことを特徴とする請求項８または請求項９に記載の通信システム。
【請求項１１】
請求項７から１０のいずれかに記載の通信装置。
【請求項１２】
請求項７から１０のいずれかに記載の端末装置。
【請求項１３】
請求項１から６のいずれかに記載の画像記録手段，ページ生成手段，ページ配信手段およびアクセス判定手段として機能させるための各種処理手順をコンピュータシステムに実行させるためのプログラム。
【請求項１４】
請求項７に記載の画像記録手段，アクセス判定手段およびページ生成手段として機能させるための各種処理手順をコンピュータシステムに実行させるためのプログラム。
【請求項１５】
請求項７に記載のページ配信手段として機能させるための各種処理手順をコンピュータシステムに実行させるためのプログラム。
【請求項１６】
請求項８に記載のアクセス判定手段，第１記録指令手段および画像記録手段として機能させるための各種処理手順をコンピュータシステムに実行させるためのプログラム。
【請求項１７】
請求項８に記載のページ生成手段およびページ配信手段として機能させるための各種処理手順をコンピュータシステムに実行させるためのプログラム。
【請求項１８】
請求項９に記載の前記第２記録指令手段および前記画像記録手段として機能させるための各種処理手順をコンピュータシステムに実行させるためのプログラム。
【請求項１９】
請求項９に記載の前記アクセス判定手段，前記ページ生成手段および前記ページ配信手段として機能させるための各種処理手順をコンピュータシステムに実行させるためのプログラム。
【発明の詳細な説明】
【０００１】
【発明の属する技術分野】
本発明は、ファクシミリ通信により画像データを送受信する通信システム、通信システムを構成する通信装置と端末装置、および、これらにおいて利用可能なプログラムに関する。
【０００２】
【従来の技術】
従来から、ファクシミリとしての機能を有する通信装置では、ファクシミリ通信による画像データの通信内容（例えば、送信先、送信元、通信日時、通信時間、ページ数など）をメモリ内に蓄積（記録）しておき、所定の操作が行われたタイミングで、蓄積された通信内容を用紙へ印刷するように構成されたものが一般的である。これにより、利用者は、通信内容を用紙にてチェックすることができる。
【０００３】
また、近年では、ファクシミリ通信による画像データの通信内容を、用紙などの印刷媒体ではなく、通信装置とデータ通信可能に接続された端末装置のディスプレイからチェックするための技術が提案されている。
例えば、ファクシミリ通信による通信内容（受信ログ）が一覧表示される表示態様であり、各通信内容に対して受信した画像データ（受信画像）へのハイパーリンクが設けられたウェブページ（ＨＴＭＬファイル）を生成し、このウェブページおよび画像データをネットワーク経由で配信可能に構成された通信装置（電子機器）である（特許文献１参照）。これにより、利用者は、ネットワークを介して通信装置に接続された端末装置（ネットワークコンピュータ）から、上述のウェブページへアクセスすることによって、端末装置のディスプレイに表示されたウェブページにて通信内容をチェックすることができ、さらに、ウェブページから画像データへリンクすることによって、この画像データで示される内容をチェックすることもできる。
【０００４】
【特許文献１】
特開２０００−１９６７９９号公報
【０００５】
【発明が解決しようとする課題】
しかし、上述の通信装置により生成されるウェブページは、通信内容とは無関係に画像データへのハイパーリンクが設けられてしまう。そのため、例えば、画像データが特定の利用者に対する機密の内容を示すものであったとしても、上述のウェブページへネットワーク経由でアクセスし、このウェブページからリンクすることによって、画像データで示される内容を簡単に閲覧できてしまうという問題があった。
【０００６】
本発明は上記問題を解決するためになされたものであり、その目的は、ファクシミリ通信による通信内容および画像データで示される内容を閲覧できるシステムにおいて、画像データで示される内容が機密の内容である場合に、この画像データで示される内容の閲覧を制限するための技術を提供することである。
【０００７】
【課題を解決するための手段および発明の効果】
上記課題を解決するため請求項１に記載の通信システムは、画像記録手段、ページ生成手段およびページ配信手段を備えている。これらのうち、画像記録手段は、ファクシミリ通信により送信または受信される画像データを記録するものである。また、ページ生成手段は、ファクシミリ通信による画像データそれぞれの通信内容が画像データに対応づけられた状態で一覧表示された表示態様であり、この一覧表示された通信内容のうち画像記録手段に記録されている画像データに対応する通信内容に対して、画像データへのハイパーリンクが設けられたウェブページである一覧ページを生成する。そして、ページ配信手段は、ページ生成手段により生成された一覧ページをネットワーク経由で配信可能なものである。
【０００８】
また、この通信システムは、ファクシミリ通信による通信内容に基づき、この通信内容の画像データへのアクセスを許可すべきか否かを判定するアクセス判定手段を備えており、ページ生成手段が、アクセス判定手段によりアクセスを許可すべきと判定された通信内容に対してのみハイパーリンクが設けられた一覧ページを生成する、ように構成されている。
【０００９】
このように構成された通信システムによれば、ページ生成手段によって、アクセス判定手段によりアクセスを許可すべきと判定された通信内容に対してのみハイパーリンクが設けられた一覧ページを生成することができる。
ここで、アクセス判定手段は、ファクシミリ通信による通信内容に基づいてアクセスを許可すべきか否かを判定するため、このアクセス判定手段を、機密の内容を示す画像データが通信されたと想定される通信内容に対しては画像データへのアクセスを許可すべきでないと判定するように設定しておけば、機密の内容を示すと想定される画像データに対するハイパーリンクが設けられていない一覧ページを生成することができる。
【００１０】
これによって、一覧ページからは、機密の内容を示すと想定される画像データへリンクできないようにできるため、機密の内容を示すと想定される画像データについて、この画像データで示される内容の閲覧を制限する（閲覧できないようにする）ことができる。
【００１１】
なお、上述したページ配信手段は、ページ生成手段により生成された一覧ページをネットワーク経由で配信する手段であって、例えば、ネットワークから一覧ページの配信を要求された際に、この一覧ページを要求元へ配信（送信）する周知のウェブサーバとして機能する手段である。
【００１２】
ところで、上述のアクセス判定手段を、機密の内容を示す画像データが通信されたと想定される通信内容に対して画像データへのアクセスを許可すべきでないと判定するための構成としては、種々の構成が考えられる。
例えば、通信内容が少なくとも画像データの通信された通信日時（日付または時間）を示すものである場合には、通信内容で示される通信日時が所定の日時である場合に、アクセスを許可すべきでないと判定する、といった構成が考えられる。このように構成すれば、通信内容で示される通信日時に基づいてアクセスを許可すべきか否かを判定することができる。そのため、アクセス判定手段を、あらかじめ機密の内容を示す画像データを通信すると定めた日時に対して、画像データへのアクセスを許可すべきでないと判定するように設定しておけば、機密の内容を示す画像データに対するハイパーリンクが設けられていない一覧ページを生成・配信することができる。
【００１３】
また、通信内容が少なくとも画像データの送信先または送信元を示すものである場合には、請求項２に記載のように、アクセス判定手段を、通信内容で示される画像データの送信先または送信元が特定の送信先または送信元である場合に、画像データへのアクセスを許可すべきではないと判定するように構成すればよい。
【００１４】
このように構成された通信システムによれば、通信内容で示される送信先または送信元に基づいてアクセスを許可すべきか否かを判定することができる。そのため、アクセス判定手段を、あらかじめ機密の内容を示す画像データを通信すると定めた送信先または送信元に対しては画像データへのアクセスを許可すべきでないと判定するように設定しておけば、機密の内容を示す画像データに対するハイパーリンクが設けられていない一覧ページを生成・配信することができる。
【００１５】
なお、上述のページ生成手段は、ファクシミリ通信による画像データそれぞれの通信内容が画像データに対応づけられた状態で一覧表示された表示態様の一覧ページを生成する手段であって、こうして生成される一覧ページは、アクセス判定手段によりアクセスを許可すべきと判定された通信内容に対してのみハイパーリンクが設けられたものである。このとき、ページ生成手段は、結果的にアクセスを許可すべきと判定された通信内容に対してのみハイパーリンクが設けられた一覧ページを生成できればよく、ページ生成手段自身がハイパーリンクを設けるべき通信内容であるか否かを特定できなくてもよい。この場合の具体的な構成としては、例えば、請求項３に記載のような構成を考えることができる。
【００１６】
請求項３に記載の通信システムは、ファクシミリ通信により送信または受信された画像データおよびこの画像データの通信内容を画像記録手段に記録させる第１記録指令手段を備えている。また、アクセス判定手段は、ファクシミリ通信により画像データが送信または受信された際、この画像データへのアクセスを許可すべきか否かを判定する。そして、第１記録指令手段は、アクセス判定手段によりアクセスを許可すべきでないと判定された通信内容の場合、この通信内容のみを画像記録手段に記録させる一方、アクセスを許可すべきであると判定された通信内容の場合、通信内容およびこの通信内容の画像データを対応づけた状態で画像記録手段に記録させる。
【００１７】
このように構成された通信システムによれば、アクセスを許可すべきであると判定された通信内容については、この通信内容と共に画像データが画像記録手段に記録されるが、アクセスを許可すべきでないと判定された通信内容については、画像データが記録されずに通信内容のみが画像記録手段に記録される。このように、アクセスを許可すべきでないと判定された通信内容については、この通信内容に対応する画像データが画像記録手段に記録されることがない。そのため、ページ生成手段は、ハイパーリンクを設けるべき通信内容であるか否かを特定しなくても、結果的にアクセスを許可すべきと判定された通信内容に対してのみハイパーリンクが設けられた一覧ページを生成することができる。
【００１８】
また、上述のページ生成手段は、ページ生成手段自身がハイパーリンクを設けるべき通信内容であるか否かを特定しながら一覧ページを生成するように構成してもよい。この場合の具体的な構成としては、例えば、請求項４に記載のような構成を考えることができる。
【００１９】
請求項４に記載の通信システムは、ファクシミリ通信により画像データが送信または受信された際に、この画像データおよび画像データの通信内容を対応づけた状態で画像記録手段に記録させる第２記録指令手段を備えている。また、アクセス判定手段は、画像記録手段に記録された通信内容に基づいて、この通信内容に対応する画像データへのアクセスを許可すべきか否かを判定する。そして、ページ生成手段は、アクセス判定手段の判定結果でアクセスを許可すべきと判定された通信内容に対してのみハイパーリンクの設けられた一覧ページを生成する。
【００２０】
このように構成された通信システムによれば、ファクシミリ通信により送信または受信された画像データおよび通信内容は、それぞれが対応づけられた状態で画像記録手段に記録される。そして、ページ生成手段は、ハイパーリンクを設けるべき通信内容であるか否かを、アクセス判定手段による判定結果から特定しながら一覧ページを生成する。このようにして、アクセスを許可すべきと判定された通信内容に対してのみハイパーリンクが設けられた一覧ページを生成することができる。
【００２１】
また、この構成において、ページ生成手段が一覧ページを生成する際に、通信内容それぞれがアクセス判定手段によりアクセスを許可すべきと判定されたものかどうかを特定できるようにするためには、請求項５に記載のように構成すればよい。
【００２２】
請求項５に記載の通信システムは、第２記録指令手段が、アクセス判定手段によりアクセスを許可すべきであると判定された通信内容を、アクセスを許可すべき旨を特定可能な状態で画像記録手段に記録させる一方、アクセスを許可すべきでないと判定された通信内容を、アクセスを許可すべきでない旨を特定可能な状態で画像記録手段に記録させる。
【００２３】
このように構成された通信システムによれば、画像記録手段に記録される画像データまたは通信内容は、アクセスを許可すべき、または、許可すべきでない旨を特定可能な状態で記録される。そのため、ページ生成手段は、この記録状態に基づき、通信内容それぞれがアクセス判定手段によりアクセスを許可すべきと判定されたものかどうかを特定し、一覧ページを生成することができる。
【００２４】
なお、この構成における「アクセスを許可すべき、または、許可すべきでない旨を特定可能な状態」とは、例えば、通信内容または画像データが「アクセスを許可すべき（または、許可すべきでない）旨」を示すファイル名となっている状態、「アクセスを許可すべき（または、許可すべきでない）旨」を示すフォルダ内に記録された状態、「アクセスを許可すべき（または、許可すべきでない）旨」を示すデータが付加された状態などのことである。
【００２５】
また、これら請求項４，５の通信システムにおいては、アクセスを許可すべきでないと判定された通信内容についても一定の条件を満たす場合であれば、画像データのアクセスを許可するように構成してもよい。
具体的な構成としては、例えば、請求項６に記載のように、ページ生成手段は、アクセス判定手段によりアクセスを許可すべきと判定された通信内容それぞれが一覧表示され、かつ、通信内容それぞれにハイパーリンクが設けられた一覧ページである第１一覧ページ、および、アクセスを許可すべきでないと判定された通信内容それぞれが一覧表示され、かつ、該通信内容それぞれにハイパーリンクが設けられた一覧ページである第２一覧ページを生成して、ページ配信手段は、第１一覧ページを無条件に配信する一方、第２一覧ページを特定の配信条件が満たされた場合のみ配信する、といった構成が考えられる。
【００２６】
このように構成された通信システムによれば、ページ生成手段によって、アクセス判定手段によりアクセスを許可すべきと判定された通信内容それぞれが一覧表示された表示態様で、かつ、通信内容それぞれに対してハイパーリンクが設けられた第１一覧ページを生成することができる。また、アクセス判定手段によりアクセスを許可すべきでないと判定された通信内容それぞれが一覧表示された表示態様で、かつ、通信内容それぞれに対してハイパーリンクが設けられた第２一覧ページを生成することができる。
【００２７】
このようにして生成された一覧ページのうち、第２一覧ページには、アクセスを許可すべきでないと判定された通信内容に対応する画像データへのハイパーリンクが設けられているが、この第２一覧ページは、特定の配信条件を満たした場合でなければ配信されない。そのため、アクセスを許可すべきでないと判定された通信内容に対応する画像データについて、この画像データで示される内容の閲覧を制限する、具体的には、配信条件を満たした状態で配信を要求しなければ閲覧できないようにすることができる。
【００２８】
なお、この構成において「特定の配信条件」とは、例えば、ページ生成手段により生成された第２一覧ページの記録された記録領域へページ配信手段が直接アクセス（第２一覧ページを読み出す）できないように構成した場合において、第２一覧ページをページ配信手段が直接アクセスできる記録領域に記録し直すといった操作を利用者が行う、といった条件が考えられる。また、特定の日時である、といった条件も考えられる。
【００２９】
また、「特定の配信条件」としては、登録済みの利用者であるといった条件も考えられる。この場合の具体的な構成としては、次のような構成を考えることができる。例えば、利用者を認証するための認証データを記録する認証記録手段と、利用者側から提供された認証データおよび認証記録手段に記録された認証データを照合することにより登録済みの利用者であるか否かを判定する登録認証手段と、を備え、ページ生成手段は、第２一覧ページと共に認証データを利用者に入力させて当該通信システム側へ送信させるためのウェブページである認証ページを生成して、ページ配信手段は、第２一覧ページの配信を要求された際に、認証ページを配信し、その後、要求元から送信された認証データに基づいて登録認証手段が登録済みの利用者であると判定した場合のみ第２一覧ページを配信する、といった構成である。このように構成すれば、登録済みの利用者であるといった条件を満たす場合のみ第２一覧ページを配信することができるため、登録済みの利用者のみが第２一覧ページで示される内容を閲覧できるようになる。
【００３０】
また、以上説明した通信システムは、上述した各手段を備えた単体の装置により構成すればよいが、複数の装置により構成してもよい。
このように複数の装置により通信システムを構成するためには、例えば、請求項７に記載のように、画像記録手段，アクセス判定手段およびページ生成手段を備える通信装置と、ページ配信手段を備える端末装置とが、データ通信可能に接続されてなるものとしてもよい。この通信システムでは、通信装置側で生成された一覧ページが端末装置側へ伝送され、この端末装置が一覧ページの配信を行う。
【００３１】
このように構成された通信システムによれば、請求項１から６のいずれかに記載の通信システムを、複数の装置によって構成することができる。
また、この通信システムは、請求項８に記載のように、通信手段が、請求項３に記載のアクセス判定手段，第１記録指令手段および画像記録手段を備え、端末装置が、請求項３に記載のページ生成手段およびページ配信手段を備えていてもよい。この通信システムでは、通信装置側で蓄積（記録）された画像データおよび通信内容が端末装置側へ伝送され、この端末装置が一覧ページの生成および配信を行う。
【００３２】
このように構成された通信システムによれば、請求項３に記載の通信システムを、複数の装置によって構成することができる。
また、請求項７に記載の通信システムは、請求項９に記載のように、通信手段が、請求項４から６のいずれかに記載の第２記録指令手段および画像記録手段を備え、端末装置が、請求項４から６のいずれかに記載のアクセス判定手段，ページ生成手段およびページ配信手段を備えていてもよい。この通信システムでは、通信装置側で蓄積（記録）された画像データおよび通信内容が端末装置側へ伝送され、この端末装置が一覧ページの生成および配信を行う。
【００３３】
このように構成された通信システムによれば、請求項４から６のいずれかに記載の通信システムを、複数の装置によって構成することができる。
また、上述した請求項８，９の構成では、請求項１０に記載のように、通信装置において、画像記録手段は、通信装置に接続された端末装置にとって、端末装置自身に接続された外部記録装置として認識されるように構成して、端末装置においては、各種データを記録するデータ記録手段と、通信装置の備える画像記録手段にデータが記録された際に、このデータをデータ記録手段に記録させる第３記録指令手段と、第３記録指令手段によりデータの記録が行われた際に、この記録が行われたデータを通信装置の備える画像記録手段から削除する削除指令手段と、を備えたものとしてもよい。
【００３４】
このように構成された通信システムによれば、通信装置の備える画像記録手段は、端末装置が端末装置自身に接続された外部記録装置として認識されるため、この画像記録手段へは端末装置側から容易にアクセス（データの記録および削除）することができる。
【００３５】
また、端末装置側では、通信装置の備える画像記録手段にデータが記録された際に、このデータを読み出して端末装置自身の備えるデータ記録手段に記録する。このように、通信装置側では、通信装置自身の備える画像記録手段に通信内容および画像データを記録するだけでよく、端末装置側へデータを伝送させるための特別な処理を実行する必要がない。そして、通信装置のファクシミリ通信による通信内容および画像データを端末装置側によって保存・管理することができるようになる。
【００３６】
さらに、通信装置の備える画像記録手段では、ファクシミリ通信による通信内容および画像データが記録された際、これらデータが端末装置側から読み出されると共に削除される。そのため、通信装置の備える画像記録手段は、一回のファクシミリ通信で生成されるデータを記録するのに充分な記録容量を有していればよく、少ない記録容量を有効に利用しながらファクシミリ通信による通信内容および画像データを、端末装置側で保存・管理させることができる。
【００３７】
なお、上述した通信装置の備える画像記録手段は、端末装置が端末装置自身に接続された外部記録装置、つまり、ＯＳ（ｏｐｅｒａｔｉｎｇ  ｓｙｓｔｅｍ）に標準で備えられた機能（ファイルシステム）を介してアクセス（データの記録および削除）できる記録領域として認識できる手段である。
【００３８】
また、請求項１１に記載の通信装置は、請求項７から１０のいずれかに記載の通信装置である。このように構成された通信装置によれば、請求項７から１０のいずれかに記載の通信システムの一部（通信装置）を構成することができる。
また、請求項１２に記載の端末装置は、請求項７から１０のいずれかに記載の端末装置である。このように構成された端末装置によれば、請求項７から１０のいずれかに記載の通信システムの一部（端末装置）を構成することができる。
【００３９】
また、請求項１３に記載のプログラムは、請求項１から６のいずれかに記載の画像記録手段，ページ生成手段，ページ配信手段およびアクセス判定手段として機能させるための各種処理手順をコンピュータシステムに実行させるためのプログラムである。
【００４０】
このようなプログラムにより制御されるコンピュータシステムは、請求項１から６のいずれかに記載の通信システムの一部を構成することができる。
また、このプログラムを、請求項３に記載の第１記録指令手段として機能させるための各種処理手順もコンピュータシステムに実行させるプログラムとしてもよい。この場合、コンピュータシステムが請求項３に記載の通信システムの一部を構成できる。
【００４１】
また、請求項１３に記載のプログラムを、請求項４に記載の第２記録指令手段として機能させるための各種処理手順もコンピュータシステムに実行させるためのプログラムとしてもよい。この場合、コンピュータシステムが請求項４に記載の通信システムの一部を構成できる。
【００４２】
また、請求項１４に記載のプログラムは、請求項７に記載の画像記録手段，アクセス判定手段およびページ生成手段として機能させるための各種処理手順をコンピュータシステムに実行させるためのプログラムである。このようなプログラムにより制御されるコンピュータシステムは、請求項７に記載の通信システムの一部（通信装置）を構成することができる。
【００４３】
また、請求項１５に記載のプログラムは、請求項７に記載のページ配信手段として機能させるための各種処理手順をコンピュータシステムに実行させるためのプログラムである。このようなプログラムにより制御されるコンピュータシステムは、請求項７に記載の通信システムの一部（端末装置）を構成することができる。
【００４４】
また、請求項１６に記載のプログラムは、請求項８に記載のアクセス判定手段，第１記録指令手段および画像記録手段として機能させるための各種処理手順をコンピュータシステムに実行させるためのプログラムである。このようなプログラムにより制御されるコンピュータシステムは、請求項８に記載の通信システムの一部（通信装置）を構成することができる。
【００４５】
また、請求項１７に記載のプログラムは、請求項８に記載のページ生成手段およびページ配信手段として機能させるための各種処理手順をコンピュータシステムに実行させるためのプログラムである。このようなプログラムにより制御されるコンピュータシステムは、請求項８に記載の通信システムの一部（端末装置）を構成することができる。
【００４６】
また、このプログラムは、請求項１０に記載の第３記録指令手段および削除指令手段として機能させるための各種処理手順もコンピュータシステムに実行させるためのプログラムとしてもよい。この場合、コンピュータシステムが請求項１０に記載の通信システムの一部（端末装置）を構成できる。
【００４７】
また、請求項１８に記載のプログラムは、請求項９に記載の第２記録指令手段および画像記録手段として機能させるための各種処理手順をコンピュータシステムに実行させるためのプログラムである。このようなプログラムにより制御されるコンピュータシステムは、請求項９に記載の通信システムの一部（通信装置）を構成することができる。
【００４８】
また、請求項１９に記載のプログラムは、請求項９に記載のアクセス判定手段，ページ生成手段およびページ配信手段として機能させるための各種処理手順をコンピュータシステムに実行させるためのプログラムである。このようなプログラムにより制御されるコンピュータシステムは、請求項９に記載の通信システムの一部（端末装置）を構成することができる。
【００４９】
また、このプログラムは、請求項１０に記載の第３記録指令手段および削除指令手段として機能させるための各種処理手順もコンピュータシステムに実行させるためのプログラムとしてもよい。この場合、コンピュータシステムが請求項１０に記載の通信システムの一部（端末装置）を構成できる。
【００５０】
なお、上述した各プログラムは、それぞれコンピュータシステムによる処理に適した命令の順番付けられた列からなるものであって、例えば、ＦＤ，ＣＤ−ＲＯＭ，メモリーカードなどの記録媒体，インターネットなどの通信回線網を介して、通信システム，通信装置，端末装置，コンピュータシステム，または、これらを利用する利用者に提供されるものである。また、このプログラムを実行するコンピュータシステムとしては、例えば、通信装置の備えるコンピュータシステム，端末装置の備えるコンピュータシステム，通信装置や端末装置に無線または有線の通信路を介してデータ通信可能に接続されたコンピュータシステムなどを利用することができる。
【００５１】
【発明の実施の形態】
次に本発明の実施の形態について例を挙げて説明する。
［第１実施形態］
通信システム１は、図１に示すように、複合機１００およびパーソナルコンピュータ（以降、ＰＣとする）２００が、通信ケーブル３００を介してデータ通信可能に接続されてなるものである。
【００５２】
複合機１００は、電話端末，ファクシミリ，コピー機およびスキャナなどとして機能する装置であって、ハンドセット１１２、表示パネル１１４、操作パネル１２０、ＣＰＵ１３２、ＲＯＭ１３４、ＲＡＭ１４０、スキャナ部１５２、モデム１５４、プリンタ部１５６、音声入出力部１６０、ＰＣインターフェース部（以降、ＰＣＩ／Ｆとする）１７２、回線制御部１７４、メディアドライブ１８０などを備えている。
【００５３】
これらのうち、ハンドセット１１２は、図２に示すように、本体側部に配設されたものであり、複合機１００本体から取り外して使用する送受話器である。
また、表示パネル１１４は、複合機１００本体上部に配設されたものであり、ＣＰＵ１３２からの指令を受けて各種情報を表示する。
【００５４】
また、操作パネル１２０は、複合機１００本体上面に配設されたものであり、文字，数字および記号を入力可能な複数の入力ボタン１２２、音声入出力部１６０によりハンズフリー通話を行うためのスピーカーホンボタン１２４、各種機能の実行を開始するためのスタートボタン１２６などからなる。
【００５５】
また、ＣＰＵ１３２は、ＲＯＭ１３４に記録されたプログラムで示される処理手順に従い複合機１００の各構成要素にバス１９０を介して指令（制御信号）を送ることによって、複合機１００全体の動作を制御する。
また、ＲＡＭ１４０は、記録領域の一部が、複合機１００と接続されたＰＣ２００がＰＣ２００自身に接続された外部記録装置（仮想ドライブ）として認識できる共有領域となっている。これにより、ＰＣ２００は、この共有領域をＯＳ（ｏｐｅｒａｔｉｎｇ  ｓｙｓｔｅｍ）に標準で備えられた一部機能であるファイルシステムによりアクセス（データの記録および削除）可能な記録領域として認識できる。なお、この共有領域は、ツリー型のフォルダ（「ディレクトリ」ともいう）構造を有しており、フォルダにて、データファイルを分類し記憶するように構成されている。
【００５６】
また、スキャナ部１５２は、後述するファクシミリ通信処理（図３）でＣＰＵ１３２からの指令を受けて、読取位置１１６（図２参照）にセットされた用紙から画像の読み取り行うと共に、この画像のイメージデータを生成する。このイメージデータは、モデム１５４で符号化および変調されることにより電話回線網４００に伝送可能な画像信号とされた後、回線制御部１７４を介して電話回線網４００へ出力される。
【００５７】
また、プリンタ部１５６は、後述するファクシミリ通信処理（図３）でＣＰＵ１３２からの指令を受けて、給紙位置１１８（図２参照）にセットされた用紙へのイメージデータに基づく画像の印刷を行う。このように画像の印刷を行う対象となるイメージデータは、例えば、電話回線網４００から回線制御部１７４を介して入力された画像信号がモデム１５４で復調および復号されることにより生成されるイメージデータなどである。
【００５８】
また、音声入出力部１６０は、スピーカ１６２、マイク１６４、および、これらを駆動する駆動回路１６６で構成され、スピーカ１６２から各種音声信号に基づく音声を出力する以外に、スピーカ１６２およびマイク１６４を送受話器として機能させることにより、ハンズフリー通話を行うために使用することもできる。なお、この音声入出力部１６０のマイク１６４は、操作パネル１２０のうち穴１２８が形成されている位置の裏面に配設され（図２参照）、この穴１２８を介して音声が入力される。
【００５９】
また、ＰＣＩ／Ｆ１７２は、複合機１００を通信ケーブル３００経由でＰＣ２００と接続するためのインターフェースであって、これによって、複合機１００−ＰＣ２００間におけるデータ通信を可能な状態とすることができる。
また、回線制御部１７４は、電話回線網４００からの各種信号の入力および電話回線網４００への信号の出力を行うと共に、ＣＰＵ１３２の指令を受けて、電話回線網４００との間で入出力する信号の伝送先および伝送元となる伝送経路を設定する。
【００６０】
この「電話回線網４００との間で入出力する信号の伝送先および伝送元となる伝送経路」は、オフフック操作として、ハンドセット１１２を複合機１００本体から取り外す操作、または、操作パネル１２０のスピーカーホンボタン１２４を押下する操作が行われた際に、回線制御部１７４からハンドセット１１２または音声入出力部１６０へ向かう経路が上述の伝送経路として設定され、この経路を音声信号が伝送可能な状態となる。こうして設定された伝送経路は、オンフック操作として、ハンドセット１１２を複合機１００本体に戻す操作、または、再度スピーカーホンボタン１２４を押下する操作が行われた際に解除され、この経路を音声信号が伝送されない状態となる。
【００６１】
さらに、読取位置１１６に読み取らせるべき用紙がセットされた状態で、操作パネル１２０の入力ボタン１２２により送信先の識別番号（本実施形態においては電話番号）が入力された後、スタートボタン１２６が押下するといった一連の操作（以降、ＦＡＸ送信操作とする）が行われた際、または、電話回線網４００側から画像信号の入力が開始された際に、モデム１５４へ向かう経路が上述の伝送経路として設定され、この経路を画像信号が伝送可能な状態となる。この設定された伝送経路はモデム１５４による画像信号の出力が終了した際、または、電話回線網４００からの画像信号の入力が終了した際に解除され、この経路を画像信号が伝送されない状態となる（後述のファクシミリ通信処理（図３）参照）。
【００６２】
そして、メディアドライブ１８０は、メモリカード５００を着脱可能であり、装着されたメモリカード５００へのデータの記録および読出しを行う装置である。なお、ここでいう「メモリカード」とは、例えば、コンパクトフラッシュ（登録商標）、スマートメディア（登録商標）、メモリスティック（登録商標）、マルチメディアカード、ＳＤメモリカードなどのことである。
【００６３】
ＰＣ２００は、ＣＰＵ２１２、ＲＯＭ２１４、ＲＡＭ２１６、ハードディスク（以降、ＨＤとする）２２０、外部インターフェース部（以降、外部Ｉ／Ｆとする）２３２、ネットワークインターフェース部（以降、ネットワークＩ／Ｆとする）２３４、入力部２４０、ディスプレイ２５２などがバス２５０を介して接続されたものである。
【００６４】
これらのうち、ＨＤ２２０には、後述するログ収集処理（図４）を実行するためのプログラム、および、通信回線網６００を介してウェブページを配信するウェブサーバとしてＰＣ２００を機能させるためのプログラムなどが組み込まれている。
【００６５】
また、外部Ｉ／Ｆ２３２は、ＰＣ２００を通信ケーブル３００経由で複合機１００と接続するためのインターフェースであって、これによって、ＰＣ２００−複合機１００間におけるデータ通信を可能な状態とすることができる。
また、ネットワークＩ／Ｆ２３４は、ＰＣ２００を通信回線網（本実施形態においてはＬＡＮ；Ｌｏｃａｌ  Ａｒｅａ  Ｎｅｔｗｏｒｋ）６００に接続するためのインターフェースである。
【００６６】
そして、入力部２４０は、キーボード２４２およびマウス２４４などからなる入力装置である。
○複合機１００のＣＰＵ１３２によるファクシミリ通信処理
以下に、複合機１００の備えるＣＰＵ１３２により実行されるファクシミリ通信処理の処理手順を図３に基づいて説明する。このファクシミリ通信処理は、ＦＡＸ送信操作が行われた際、または、回線制御部１７４を介して電話回線網４００から画像信号の入力が開始された際に開始される。
【００６７】
まず、モデム１５４と電話回線網４００とを結ぶ経路を信号の伝送経路として設定させる（ｓ１１０）。この処理では、回線制御部１７４に、モデム１５４と電話回線網４００とを結ぶ経路を信号の伝送経路として設定させる。これにより、この経路を画像信号が伝送可能な状態となる。
【００６８】
次に、画像信号の通信を行う（ｓ１２０）。この処理では、本ファクシミリ通信処理がスタートボタン１２６の押下により開始された場合であれば、まず、スキャナ部１５２に画像を読み取らせ、この画像のイメージデータを生成させる。続いて、このイメージデータをモデム１５４により符号化および変調させることによって、電話回線網４００を伝送可能な画像信号とする。そして、この画像信号をモデム１５４により回線制御部１７４側へ出力させる。こうして、画像信号が電話回線網４００側（送信先）へ出力される。一方、本ファクシミリ通信処理が、画像信号の受信により開始された場合であれば、まず、回線制御部１７４を介して電話回線網４００（送信元）から順次入力される画像信号をモデム１５４に復調および復号させることによって、イメージデータを生成させる。そして、このイメージデータで示される画像をプリンタ部１５６に印刷させる。こうして、電話回線網４００側から入力された画像信号で示される画像が用紙に印刷される。
【００６９】
次に、ｓ１１０の処理で設定された伝送経路を解除させる（ｓ１３０）。この処理では、回線制御部１７４に、モデム１５４と電話回線網４００とを結ぶ経路の伝送経路としての設定を解除させる。これにより、この経路を画像信号が伝送されない状態となる。
【００７０】
次に、画像信号の通信相手をチェックする（ｓ１４０）。この処理では、画像信号の通信相手が、画像信号に基づく画像データを記録させるべき通信相手であるか否かを、ＲＡＭ１４０（共有領域以外の記録領域）に記録されている記録判定テーブルに基づいて判定する。この記録判定テーブルは、あらかじめ画像データを記録させてはいけない通信相手（機密保持すべき通信相手）の識別番号が登録されており、ここに登録されている識別番号の通信相手以外であれば、画像データを記録させてもよい通信相手であると判定する。なお、このｓ１４０の処理において、「画像信号の通信相手」とは、本ファクシミリ通信処理がスタートボタン１２６の押下により開始された場合であれば、スタートボタン１２６が押下される前に入力ボタン１２２により入力された識別番号の通信相手（送信先）である。一方、本ファクシミリ通信処理が、画像信号の受信により開始された場合であれば、画像信号と共に電話回線網４００側から通知される識別番号の通信相手（送信元）である。
【００７１】
このｓ１４０の処理で、画像信号の通信相手が、画像信号に基づく画像データを記録させてもよい通信相手である場合（ｓ１４０：ＹＥＳ）、ｓ１２０の処理により通信された画像信号に基づく画像データをＲＡＭ１４０の共有領域に記録させる（ｓ１５０）。この処理では、本ファクシミリ通信処理がスタートボタン１２６の押下により開始された場合であれば、ｓ１２０の処理でスキャナ部１５２に読み取られて生成されたイメージデータを所定のデータ形式（本実施形態においてはＪＰＥＧ（Ｊｏｉｎｔ  Ｐｈｏｔｏｇｒａｐｈｉｃ  Ｅｘｐｅｒｔｓ  Ｇｒｏｕｐ）形式）に変換してなる画像データをＲＡＭ１４０の共有領域に記録させる。一方、本ファクシミリ通信処理が、画像信号の受信により開始された場合であれば、ｓ１２０の処理でモデム１５４により復調および復号されることにより生成されたイメージデータを所定のデータ形式（ＪＰＥＧ形式）に変換してなる画像データをＲＡＭ１４０の共有領域に記録させる。ここで、画像データのファイル名は、通信日付および通信時刻の各数字を連結してなる数字列である。例えば、通信日付が「２００３．０３．１１」で、通信時刻が「１０：２０」である場合、ファイル名は「２００３０３１１１０２０」となる。
【００７２】
次に、ｓ１２０の処理で行われた通信内容を示すログデータをＲＡＭ１４０の共有領域に記録させる（ｓ１６０）。このログデータとは、通信日付、通信時刻、送信か受信かを示す通信タイプ、通信相手の識別番号、通信に要した時間、通信したデータ量（本実施形態においては、用紙のページ数）、通信が成功したか失敗したかを示す通信結果、および、ｓ１５０の処理で記録された画像データのファイル名を特定可能なデータである。
【００７３】
また、ｓ１４０の処理で、画像信号の通信相手が、画像信号に基づく画像データを記録させてもよい通信相手ではない場合（ｓ１４０：ＮＯ）、ｓ１２０の処理で行われた通信内容を示すログデータをＲＡＭ１４０の共有領域に記録させる（ｓ１７０）。このログデータは、ｓ１６０の処理で記録されるログデータと同様のデータであるが、ｓ１５０の処理（画像データの記録）が行われていないため、画像データのファイル名以外を特定可能なデータとなる。
【００７４】
こうして、ｓ１７０、または、ｓ１６０の処理を終えた後、本ファクシミリ通信処理を終了する。
○ＰＣ２００のＣＰＵ２１２によるログ収集処理
以下に、ＰＣ２００の備えるＣＰＵ２１２により実行されるログ収集処理の処理手順を図４に基づいて説明する。このログ収集処理は、ＰＣ２００が起動されてから終了されるまでの間、繰り返し実行される。
【００７５】
まず、複合機１００のＲＡＭ１４０における共有領域を監視し、ログデータが記録されるまで待機する（ｓ２１０：ＮＯ）。
このｓ２１０の処理で、ＲＡＭ１４０の共有領域にログデータが記録されたら（ｓ２１０：ＹＥＳ）、このログデータで画像データのファイル名が特定できるかどうかをチェックする（ｓ２２０）。ここでは、ＲＡＭ１４０の共有領域に記録されたログデータが、図３におけるｓ１６０の処理で記録されたものであれば、画像データのファイル名が特定可能であり、ｓ１７０の処理で記録されたものであれば、画像データのファイル名が特定できないことになる。
【００７６】
このｓ２２０の処理で、画像データのファイル名が特定できる場合（ｓ２２０：ＹＥＳ）、このファイル名の画像データを、複合機１００におけるＲＡＭ１４０の共有領域から読み出し、ＨＤ２２０に記録させる（ｓ２３０）。
次に、ｓ２３０の処理で複合機１００のＲＡＭ１４０から読み出された画像データを、このＲＡＭ１４０から削除する（ｓ２４０）。
【００７７】
こうして、ｓ２４０の処理を終えた後、または、ｓ２２０の処理で画像データのファイル名が特定できない場合（ｓ２２０：ＮＯ）、ｓ２１０の処理で記録されていたログデータを読み出し、このログデータで特定される各項目をログテーブルに登録する（ｓ２５０）。このログテーブルとは、ＨＤ２２０に記録されたデータテーブルであって、図５に示すように、通信日付（Ｄａｔｅ）、通信時刻（Ｔｉｍｅ）、通信タイプ（ｔｙｐｅ）、通信相手の識別番号（Ｆｒｏｍ／Ｔｏ  ）、通信に要した時間（Ｄｕｒａｔｉｏｎ）、通信したデータ量（Ｐａｇｅ）、通信結果（Ｒｅｓｕｌｔ）、および、ファイル名（ＦｉｌｅＮａｍｅ）が、それぞれ対応づけられた状態で登録されている。そして、このｓ２５０の処理では、ログデータで特定される内容それぞれに該当する項目の登録を行う。なお、このｓ２５０の処理がログ収集処理の開始後に初めて行われる場合、ＨＤ２２０にログテーブルが記録されていないため、ログテーブルを作成したうえで項目の登録を行うことになる。
【００７８】
次に、ｓ２５０の処理で複合機１００のＲＡＭ１４０から読み出されたログデータを、このＲＡＭ１４０から削除する（ｓ２６０）。
次に、ログテーブルに基づき、通信内容の一覧を公開するためのウェブページであるログページを生成する（ｓ２７０）。この処理では、ログテーブルをＨＴＭＬ（Ｈｙｐｅｒ  Ｔｅｘｔ  Ｍａｒｋｕｐ  Ｌａｎｇｕａｇｅ）の記述におけるテーブルタグ（＜ｔａｂｌｅ＞  ・・・＜／ｔａｂｌｅ＞）で表した表示態様であって、ログテーブルに登録されているファイル名に対して、このファイル名の画像データへのハイパーリンクがアンカータグ（＜ａ  ｈｒｅｆ＝”ＸＸＸＸ”＞ＹＹＹＹ＜／ａ＞  ；「ＸＸＸＸ」は画像データの記録領域を示すパス名、「ＹＹＹＹ」は画像データのファイル名）によって設けられたウェブページをログページとして生成し、ＨＤ２２０に記録する。このように生成されたログページに対して、通信回線網６００に接続された他の端末装置から配信の要求を受けると、ＰＣ２００は、このログページを要求元の端末装置に配信する。なお、ログページは、特定のファイル名で生成されるため、通信回線網６００に接続された端末装置は、このファイル名に基づいてログページの配信をＰＣ２００に要求することになる。
【００７９】
こうして、ｓ２７０の処理を終えた後、ｓ２１０の処理へ戻る。
［第１実施形態の効果］
このように構成された通信システム１によれば、ＰＣ２００は、図４におけるｓ２７０の処理で画像データへのハイパーリンクが設けられたログページを生成することができる。このログページに設けられたハイパーリンクは、ログテーブルに登録されたファイル名の画像データへのハイパーリンクである。ログテーブルには、ｓ２５０の処理で、複合機１００におけるＲＡＭ１４０の共有領域に記録されたログデータで特定される各内容が登録されるが、このログデータは、複合機１００が図３におけるｓ１４０の処理で画像データを記録させてもよい通信内容であると判定した場合のみ、ファイル名を特定可能なデータとなる。そのため、ＰＣ２００は、図４におけるｓ２７０の処理で、複合機１００側において画像データを記録させてもよい通信内容であると判定された、つまり、通信回線網６００を介して公開してもよい（アクセスを許可すべき）画像データに対してのみハイパーリンクが設けられたログページを生成することができる。
【００８０】
また、複合機１００は、図３におけるｓ１４０の処理で、通信相手（送信先または送信元）に基づいて、画像データを記録するかどうか、つまり、画像データを公開してもよいかどうかを判定することができる。このｓ１４０の処理では、通信相手の識別番号が記録判定テーブルに登録されているかどうかにより画像データを記録させてもよいかどうかを判定する。そのため、機密の内容を示す画像データを通信する通信相手の識別番号を、あらかじめ記録判定テーブルに記録しておくことによって、ＰＣ２０側で機密の内容を示すと想定される画像データに対してハイパーリンクが設けられていないログページを生成することができる。これによって、ログページから機密の内容を示すと想定される画像データへリンクできなくし、この画像データで示される内容を閲覧できないようにすることができる。
【００８１】
また、複合機１００は、図３におけるｓ１４０の処理で画像データを記録させてもよい通信内容であると判定した場合であれば、この画像データをログデータと共にＲＡＭ１４０の共有領域に記録するが、画像データを記録させてよい通信内容ではないと判定した場合であれば、画像データを記録せずにログデータのみを記録する。このように、画像データを記録させてよい通信内容ではないと判定した場合については、画像データが記録されることが無いため、ＰＣ２００は、図４におけるｓ２２０以降の処理で、記録させてよい通信内容であると判定された画像データであるかどうかを特定しなくても、単に、ログデータで特定されるファイル名の画像データへのハイパーリンクが設けられたログページを生成するだけで、結果的に通信回線網６００を介して公開してもよい画像データに対してのみハイパーリンクが設けられたログページを生成することができる。
【００８２】
また、複合機１００におけるＲＡＭ１４０の共有領域は、ＰＣ２００がＰＣ２００自身に接続された外部記録装置として認識できるため、この共有領域へはＰＣ２００側から容易にアクセス（データの記録および削除）することができる。また、ＰＣ２００は、図４におけるｓ２１０以降の処理で、共有領域にデータ（ログデータおよび画像データ）が記録された際に、このデータを読み出してＰＣ２００の備えるＨＤ２２０により記録（または登録）することができる。このように、複合機１００側では、ＲＡＭ１４０の共有領域に、ログデータおよび画像データを記録するだけでよく、ＰＣ２００側へデータを伝送させるための特別な処理を実行する必要がない。そして、複合機１００のファクシミリ通信による通信内容を示すログデータおよび画像データを、ＰＣ２００側において保存・管理することができるようになる。
【００８３】
さらに、複合機１００のＲＡＭ１４０では、図３のファクシミリ通信処理においてログデータおよび画像データが記録された直後（ｓ１５０からｓ１７０の処理）、これらのデータがＰＣ２００側における図４のログ収集処理により読み出されると共に削除される（ｓ２１０からｓ２６０の処理）。そのため、複合機１００におけるＲＡＭ１４０の共有領域は、一回のファクシミリ通信処理で生成すると想定されるデータを記録するのに充分な記録容量を有していればよく、少ない記録容量を有効に利用しながらファクシミリ通信によるログデータおよび画像データを、ＰＣ２００側で保存・管理させることができる。
【００８４】
［第２実施形態］
通信システム２は、第１実施形態における通信システム１と同様の構成であり、一部の構成および処理手順が異なるだけであるため、この相違点についてのみ詳述する。
【００８５】
通信システム２は、複合機１００およびＰＣ２００が通信ケーブル３００を介してデータ通信可能に接続され、かつ、ＰＣ２００とサーバ７００（図１における破線参照）とが通信回線網６００を介してデータ通信可能に接続されてなるものである。これらのうち、ＰＣ２００のＨＤ２２０には、第１実施形態とは異なり、ＰＣ２００をウェブサーバとして機能させるためのプログラムは組み込まれていない。また、サーバ７００は、周知のウェブサーバとして機能するコンピュータシステムである。
○複合機１００のＣＰＵ１３２によるファクシミリ通信処理
以下に、複合機１００の備えるＣＰＵ１３２により実行されるファクシミリ通信処理の処理手順を図６に基づいて説明する。このファクシミリ通信処理は、ＦＡＸ送信操作が行われた際、または、回線制御部１７４を介して電話回線網４００から画像信号の入力が開始された際に開始される。
【００８６】
まず、モデム１５４と電話回線網４００とを結ぶ経路を信号の伝送経路として設定させる（ｓ３１０）。この処理は、図３におけるｓ１１０の処理と同様の処理である。
次に、画像信号の通信を行う（ｓ３２０）。この処理は、図３におけるｓ１２０の処理と同様の処理である。
【００８７】
次に、ｓ３１０の処理で設定された伝送経路を解除させる（ｓ３３０）。この処理は、図３におけるｓ１３０の処理と同様の処理である。
次に、画像信号の通信相手をチェックする（ｓ３４０）。この処理は、図３におけるｓ１４０の処理と同様の処理である。
【００８８】
このｓ３４０の処理で、画像信号の通信相手が、画像信号に基づく画像データを記録させてもよい通信相手である場合（ｓ３４０：ＹＥＳ）、ｓ３２０の処理により通信された画像信号に基づく画像データをＲＡＭ１４０の共有領域における第１フォルダ内に記録させる（ｓ３５０）。この処理では、図３におけるｓ１５０の処理と同様に、イメージデータを所定のデータ形式（ＪＰＥＧ形式）に変換してなる画像データをＲＡＭ１４０の共有領域における第１フォルダ内に記録させる。この「第１フォルダ」は、あらかじめＲＡＭ１４０内に生成されたフォルダである。
【００８９】
次に、ｓ３２０の処理で行われた通信内容を示すログデータをＲＡＭ１４０の共有領域における第１フォルダ内に記録させる（ｓ３６０）。この処理では、図３におけるｓ１６０の処理と同様に、通信日付、通信時刻、通信タイプ、識別番号、通信に要した時間、通信したデータ量、通信結果およびｓ３５０の処理で記録された画像データのファイル名を特定可能なデータを、ＲＡＭ１４０の共有領域における第１フォルダ内に記録させる。
【００９０】
また、ｓ３４０の処理で、画像信号の通信相手が、画像信号に基づく画像データを記録させてもよい通信相手ではない場合（ｓ３４０：ＮＯ）、ｓ３２０の処理により通信された画像信号に基づく画像データをＲＡＭ１４０の共有領域における第２フォルダ内に記録させる（ｓ３７０）。この処理では、ｓ３５０の処理と同様に、イメージデータを所定のデータ形式（ＪＰＥＧ形式）に変換してなる画像データをＲＡＭ１４０の共有領域における第２フォルダ内に記録させる。この「第２フォルダ」は、あらかじめＲＡＭ１４０内に生成されたフォルダである。
【００９１】
そして、ｓ３２０の処理で行われた通信内容を示すログデータをＲＡＭ１４０の共有領域における第２フォルダ内に記録させる（ｓ３８０）。この処理では、ｓ３６０の処理と同様に、ログデータをＲＡＭ１４０の共有領域における第２フォルダ内に記録させる。
【００９２】
こうして、ｓ３８０、または、ｓ３６０の処理を終えた後、本ファクシミリ通信処理を終了する。
○ＰＣ２００のＣＰＵ２１２によるログ収集処理
以下に、ＰＣ２００の備えるＣＰＵ２１２により実行されるログ収集処理の処理手順を図７に基づいて説明する。このログ収集処理は、ＰＣ２００が起動されてから終了されるまでの間、繰り返し実行される。
【００９３】
まず、ＨＤ２２０内に、公開用フォルダおよび非公開用フォルダを作成する（ｓ４０２）。この「公開用フォルダ」は、以降の処理で公開用ログページを生成するのに要する各データが記録されるフォルダである。また、「非公開用フォルダ」は、以降の処理で非公開用ログページを生成するのに要する各データが記録されるフォルダである。
【００９４】
次に、複合機１００のＲＡＭ１４０における共有領域を監視し、ログデータが記録されるまで待機する（ｓ４１０：ＮＯ）。この処理は、図４におけるｓ２１０の処理と同様の処理である。
このｓ４１０の処理で、ＲＡＭ１４０の共有領域にログデータが記録されたら（ｓ４１０：ＹＥＳ）、このログデータが第１フォルダおよび第２フォルダのいずれに記録されたのかをチェックする（ｓ４２０）。
【００９５】
このｓ４２０の処理で、ログデータが第１フォルダに記録された場合（ｓ４２０：ＹＥＳ）、このログデータで特定されるファイル名の画像データを、複合機１００におけるＲＡＭ１４０の共有領域（第１フォルダ内）から読み出し、ｓ４０２の処理で生成された公開用フォルダ内に記録させる（ｓ４３０）。
【００９６】
次に、ｓ４１０の処理で記録されたログデータを読み出し、このログデータで特定される各項目を公開用ログテーブルに登録する（ｓ４４０）。この「公開用ログテーブル」とは、図４におけるｓ２５０の処理で生成および登録されるログテーブル（図５参照）と同様に、ＨＤ２２０に記録されたデータテーブルである。そして、このｓ４４０の処理では、ログデータで特定される内容それぞれに該当する項目の登録を行う。なお、このｓ４４０の処理が本ログ収集処理の開始後に初めて行われる場合、ＨＤ２２０に公開用ログテーブルが記録されていないため、公開用ログテーブルを作成したうえで項目の登録を行うことになる。
【００９７】
次に、公開用ログテーブルに基づき、通信内容の一覧を公開するためのウェブページである公開用ログページを生成する（ｓ４５０）。この処理は、図４におけるｓ２７０の処理と同様に、公開用ログページを生成し、ＨＤ２２０に記録する。
【００９８】
次に、ｓ４５０の処理で生成された公開用ログページを、サーバ７００に転送（アップロード）する（ｓ４６０）。この処理では、所定の通信プロトコルに従って公開用ログページをサーバ７００に転送する。この後、サーバ７００は、ＰＣ２００から転送された公開用ログページに対して、通信回線網６００に接続された他の端末装置から配信の要求を受けると、この公開用ログページを要求元の端末装置に配信するようになる。なお、公開用ログページは、特定のファイル名で生成されるため、通信回線網６００に接続された端末装置は、このファイル名に基づいて公開用ログページの配信をサーバ７００に要求することになる。
【００９９】
そして、ｓ４３０の処理で複合機１００のＲＡＭ１４０（共有領域の第１フォルダ）から読み出された画像データ、および、ｓ４４０の処理で同ＲＡＭ１４０（共有領域の第１フォルダ）から読み出されたログデータを、このＲＡＭ１４０から削除する（ｓ４７０）。
【０１００】
こうして、ｓ４７０の処理を終えた後、ｓ４１０の処理へ戻る。
また、上述したｓ４２０の処理で、ログデータが第２フォルダに記録された場合（ｓ４２０：ＮＯ）、このログデータで特定されるファイル名の画像データを、複合機１００におけるＲＡＭ１４０の共有領域（第２フォルダ内）から読み出し、ｓ４０２の処理で生成された非公開用フォルダ内に記録させる（ｓ４８０）。
【０１０１】
次に、ｓ４１０の処理で記録されたログデータを読み出し、このログデータで特定される各項目を非公開用ログテーブルに登録する（ｓ４９０）。この「非公開用ログテーブル」とは、ｓ４４０の処理で生成および登録されるログテーブルと同様に、ＨＤ２２０に記録されたデータテーブルである。そして、このｓ４９０の処理では、ログデータで特定される内容それぞれに該当する項目の登録を行う。なお、このｓ４９０の処理が本ログ収集処理の開始後に初めて行われる場合、ＨＤ２２０に非公開用ログテーブルが記録されていないため、非公開用ログテーブルを作成したうえで項目の登録を行うことになる。
【０１０２】
次に、非公開用ログテーブルに基づき、通信内容の一覧を条件付で公開するためのウェブページである非公開用ログページを生成する（ｓ５００）。この処理は、ｓ４５０の処理と同様に、非公開用ログページを生成し、ＨＤ２２０に記録する。このように生成された非公開用ログページは、公開用ログページとは異なりＨＤ２２０のみに記録されるため、ＰＣ２００の利用者のみがウェブブラウザを利用して非公開用ログページを閲覧できる。
【０１０３】
そして、ｓ４８０の処理で複合機１００のＲＡＭ１４０（共有領域の第２フォルダ）から読み出された画像データ、および、ｓ４９０の処理で同ＲＡＭ１４０（共有領域の第２フォルダ）から読み出されたログデータを、このＲＡＭ１４０から削除する（ｓ５１０）。
【０１０４】
こうして、ｓ５１０の処理を終えた後、ｓ４１０の処理へ戻る。
［第２実施形態の効果］
このように構成された通信システム２によれば、第１実施形態と異なる構成から得られる効果として、以下に示すような効果を得ることができる。
【０１０５】
このように構成された通信システム２によれば、複合機１００は、ファクシミリ通信により送信または受信された画像データ、および、通信内容を示すログデータを、それぞれ対応づけた状態で異なるフォルダ内に記録する（図６におけるｓ３５０からｓ３８０の処理）。そして、ＰＣ２００は、複合機１００におけるＲＡＭ１４０にログデータが記録された際、図７におけるｓ４３０以降の処理で、ログデータが記録されたフォルダに応じて異なるログページ、つまり、通信回線網６００を介して無条件で公開してもよい画像データに対するハイパーリンクの設けられた公開用ログページ、または、条件付で公開してもよい画像データに対するハイパーリンクの設けられた非公開用ログページを生成することができる。このように、複合機１００は、ｓ３４０以降の処理で、フォルダによって、通信回線網６００を介して無条件で公開してもよい画像データであるか、条件付で公開してもよい画像データであるかを特定可能な状態とすることができる。そして、ＰＣ２００は、ログデータが記録されたフォルダによって、通信回線網６００を介して無条件で公開してもよい画像データであるか、条件付で公開してもよい画像データであるかを特定して、該当するログページを生成することができる。
【０１０６】
また、ＰＣ２００は、図７におけるｓ４５０，ｓ５００の処理で、無条件で公開してもよい画像データへのハイパーリンクが設けられた公開用ログページと、条件付で公開してもよい画像データへのハイパーリンクが設けられた非公開用ログページとを生成することができる。このようにして生成されたログページのうち、非公開用ログページは、サーバ７００に転送されないため、ＰＣ２００からでなければ閲覧することができない。そのため、条件付で公開してもよい画像データについて、この画像データで示される内容の閲覧を制限することができる。具体的には、ＰＣ２００にウェブサーバとしての機能を設けると共に非公開用ログページを配信できるように構成する、ＰＣ２００の利用者が非公開用ログページをサーバ７００に転送する操作を行う、といった条件を満たした後でなければ、通信回線網６００に接続された他の端末装置の利用者は、非公開用ログデータの配信を受けることができず、ＰＣ２００の利用者以外に非公開用ログデータを閲覧できないようにすることができる。
【０１０７】
［変形例］
以上、本発明の実施形態について説明したが、本発明は上記の具体的な実施形態に限定されず、このほかにも様々な形態で実施することができる。
例えば、上記実施形態においては、各フローチャートで示される処理が、複合機１００の備えるＣＰＵ１３２、ＰＣ２００の備えるＣＰＵ２１２からなるコンピュータシステムにより実行されるように構成されたものを例示した。しかし、これらの処理の一部または全部が、複合機１００，ＰＣ２００に有線・無線の信号伝送路で接続された別のコンピュータシステムにより実行されるように構成してもよい。
【０１０８】
また、上記実施形態の複合機１００においては、各フローチャートで示される処理がＲＯＭ１３４に記録されたプログラムに従って実行されるように構成されたものを例示した。しかし、メモリカード５００に上述のプログラムを記録させておき、このメモリカード５００をメディアドライブ１８０に装着した状態で、メモリカード５００に記録されたプログラムに従って各フローチャートで示される処理を実行されるように構成してもよい。
【０１０９】
また、上記実施形態のＰＣ２００においては、各フローチャートで示される処理がＲＯＭ２１４またはＨＤ２２０に記録されたプログラムに従って実行されるように構成されたものを例示した。しかし、ＰＣ２００がＦＤやメモリカードなどの記録媒体との間でデータを入出力可能に構成されている場合には、上述のプログラムが記録されている記録媒体に基づいて、各フローチャートで示される処理が実行されるように構成してもよい。
【０１１０】
また、上記実施形態においては、通信システムが複合機１００およびＰＣ２００（およびサーバ７００）により構成されたものを例示したが、通信システムを単一の装置により構成してもよい。
また、上記実施形態においては、通信システムが複合機１００およびＰＣ２００（およびサーバ７００）のみにより構成されたものを例示したが、複合機１００またはＰＣ２００（またはサーバ７００）により実現される機能の一部を、各装置とデータ通信可能に接続された他の装置により実現するように構成してもよい。
【０１１１】
また、上記実施形態において、電話回線網４００は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）であってもよいし、ＩＰ電話網であってもよい。
また、上記実施形態においては、複合機１００のＲＡＭ１４０における共有領域を利用して、複合機１００およびＰＣ２００間での画像データおよびログデータのやりとりが行われるように構成されたものを例示した。しかし、これらデータのやりとりは、メディアドライブ１８０に装着されたメモリカード５００により行われるように構成してもよい。この場合、上記実施形態における「ＲＡＭ１４０における共有領域」との記載を、「メディアドライブ１８０に装着されたメモリカード５００」と読み替えるものとする。
【０１１２】
また、上記実施形態においては、図３におけるｓ１４０の処理，図６におけるｓ３４０の処理で、画像データを記録させてもよい通信内容であるかどうかを、通信相手の識別番号が記録判定テーブルに登録されているかどうかにより判定するように構成されたものを例示した。しかし、このｓ１４０，ｓ３４０の処理では、記録判定テーブル以外のデータまたは方法を利用して画像データを記録させてもよい通信内容であるかどうかを判定するように構成してもよい。
【０１１３】
例えば、ｓ１４０，ｓ３４０の処理において、通信の行われた日時（日付または時間）が特定の日時である場合に、画像データを記録させてもよい通信内容ではないと判定する、といった構成が考えられる。このように構成すれば、通信内容で示される通信日時に基づいて画像データを記録させてよい通信内容であるかどうかを判定することができる。そのため、第１実施形態において、あらかじめ機密の内容を示す画像データを通信する日時を定めておき（日時を示すデータを記録しておき）、ｓ１４０の処理では、ｓ１２０の処理で行われた通信があらかじめ定めておいた日時に行われた場合に、画像データを記録させてもよい通信内容ではないと判定するように設定しておけば、機密の内容を示す画像データを通信すると定めた日時以外のログデータのみがファイル名を特定可能なデータとなる。そのため、ＰＣ２００は、図４におけるｓ２７０の処理で、通信回線網６００を介して公開してもよい画像データに対してのみハイパーリンクが設けられたログページを生成することができる。
【０１１４】
また、上記第１実施形態においては、ＰＣ２００側においてログページが生成されるように構成されたものを例示した（図４，図７参照）。しかし、複合機１００側においてログページが生成されるように構成してもよい。この場合、まず、複合機１００が、図３のファクシミリ通信処理で、図８に示すように、ｓ１６０，ｓ１７０の処理を行わずに、ｓ１５０の処理を終えた後、または、ｓ１４０の処理で画像データを記録させてもよい通信内容でないとき、図４におけるｓ２５０およびｓ２７０の処理を行った後、このｓ２７０の処理で生成したログページをＲＡＭ１４０における共有領域に記録する（ｓ２８０）ように構成すればよい。そして、ＰＣ２００は、図４のログ収集処理の替わりの処理として、図９に示すログページ収集処理ように、複合機１００のＲＡＭ１４０における共有領域にログページが記録されるまで待機し（ｓ４１０：ＮＯ）、ログページが記録されたら（ｓ４１０：ＹＥＳ）、この共有領域からログページおよび画像データを読み出してＨＤ２２０内に記録し（ｓ４２０）、ｓ４２０の処理で読み出したログページおよび画像データを共有領域から削除した後（ｓ４３０）、ｓ４１０の処理へ戻るように構成すればよい。
【０１１５】
また、上記第２実施形態においては、図６におけるｓ３４０の処理で、画像データを記録させてもよい通信内容であるかどうかを、通信相手の識別番号が記録判定テーブルに登録されているかどうかにより判定するように構成されたものを例示した。しかし、あらかじめ機密の内容を示す画像データを通信する日時を定めておき、このｓ３４０の処理では、ｓ３２０の処理で行われた通信があらかじめ定めておいた日時に行われた場合に、画像データを記録させてもよい通信内容ではないと判定するように設定してもよい。この場合、機密の内容を示す画像データを通信すると定めた日時以外のログデータが第１フォルダに記録され、機密の内容を示す画像データを通信すると定めた日時のログデータが第２フォルダに記録される。そのため、ＰＣ２００は、図７におけるｓ４５０，ｓ５００の処理で、通信回線網６００を介して無条件で公開してもよい画像データに対してハイパーリンクが設けられた公開用ログページ，条件付で公開してもよい画像データに対してハイパーリンクが設けられた非公開用ログページを生成することができる。
【０１１６】
また、上記第２実施形態においては、通信回線網６００を介して無条件で公開してもよい画像データであるか、条件付で公開してもよい画像データであるかを、フォルダによって特定可能にするように構成されたものを例示した（図６、図７）。しかし、上記の旨を特定可能にするための構成としては特に限定されず、様々な構成を採用することができる。
【０１１７】
例えば、以下に示すような構成が考えられる。まず、複合機１００側では、図６におけるｓ３４０の処理で画像データを記録させてもよい通信内容である場合、図１０に示すように、画像データをＲＡＭ１４０の共有領域に記録させた後（ｓ３４２）、ログデータを第１の規則に従って決められるファイル名にてＲＡＭ１４０の共有領域に記録させる（ｓ３５２）。一方、ｓ３４０の処理で画像データを記録させてもよい通信内容ではない場合、画像データをＲＡＭ１４０の共有領域に記録させた後（ｓ３６２）、ログデータを第２の規則に従って決められたファイル名にてＲＡＭ１４０の共有領域に記録させる（ｓ３７２）。そして、ＰＣ２００側では、図７におけるｓ４２０の処理で、ＲＡＭ１４０の共有領域に記録されたログデータのファイル名をチェックして、第１の規則に従って決められたファイル名である場合にはｓ４３０の処理へ移行する一方、第２の規則に従って決められたファイル名である場合にはｓ４８０の処理へ移行する。なお、この構成においては、例えば、画像データを記録させてもよい通信内容、つまり、無条件で公開してもよい画像データである旨の文字列に日時などの連番を示す数字列を組み合わせてファイル名を決める規則を「第１の規則」とし、画像データを記録させてはいけない通信内容、つまり、条件付で公開してもよい画像データである旨の文字列に日時などの連番を示す数字列を組み合わせてファイル名を決める規則を「第２の規則」とすればよい。また、この他に、上記複合機１００側の各処理で、第１，第２の規則に従って生成されたデータを各ログデータに付加するような構成を考えることもできる。
【０１１８】
また、上述した第２実施形態において、通信回線網６００に接続された他の端末装置の利用者が非公開用ログページを配信するための条件（配信条件）としては、上述した条件の他に種々の条件を適用することができる。例えば、登録済みの利用者から配信を要求された場合のみ非公開用ログページを配信する、つまり、登録済みの利用者（または管理者）であるといった条件が考えられる。具体的な構成としては、まず、ＰＣ２００を、図７におけるｓ５００の処理で、非公開用ログページと共に、認証データを利用者に入力させて返信させるためのウェブページである認証ページを生成した後、非公開用ログページと認証ページをサーバ７００に転送するように構成する。そして、サーバ７００を、サーバ７００（の備える記録装置；認証記録手段）内に利用者を登録済みの利用者として認証するための認証データを記録しておき、非公開用ログページの配信を要求された際に、まず、認証ページを配信し、その後、要求元から認証ページに基づいて返信してきた認証データが、あらかじめ記録されている認証データと一致する場合に（登録認証手段としての機能）、非公開用ログページを配信するように構成する。このように構成すれば、登録済みの利用者であるといった配信条件を満たす場合のみ非公開用ログページを配信することができるため、登録済みの利用者のみが非公開用ログページで示される内容を閲覧できるようになる。なお、利用者を認証するための具体的な構成は特に限定されず、上述した以外の構成を採用することも当然可能である。
【０１１９】
［本発明との対応関係］
以上説明した実施形態において、複合機１００は本発明における通信装置であり、ＰＣ２００は本発明における端末装置であり、サーバ７００は本発明における端末装置（の一部）である。
【０１２０】
また、複合機１００のＲＡＭ１４０における共有領域は本発明における画像記録手段であり、ＰＣ２００のＨＤ２２０は本発明におけるデータ記録手段である。
また、ＰＣ２００により生成されるログページは本発明における一覧ページであり、また、公開用ログページは本発明における第１一覧ページであり、非公開用ログページは本発明における第２一覧ページである。
【０１２１】
また、図４におけるｓ２７０の処理、図７におけるｓ４５０，ｓ５００の処理、および、図８におけるｓ２７０の処理は、本発明におけるページ生成手段である。
また、第１実施形態におけるＰＣ２００（の有するウェブサーバとしての機能）、および、第２実施形態におけるサーバ７００（の有するウェブサーバとしての機能）は、本発明におけるページ配信手段である。
【０１２２】
また、図３におけるｓ１４０の処理、図４におけるｓ２２０の処理、図６におけるｓ３４０の処理、図７におけるｓ４２０の処理、図８におけるｓ１４０の処理、および、図１０におけるｓ３４０の処理は、本発明におけるアクセス判定手段である。
【０１２３】
また、図３におけるｓ１５０からｓ１７０の処理、および、図８におけるｓ１５０の処理は、本発明における第１記録指令手段である。
また、図６におけるｓ３５０からｓ３８０の処理、および、図８におけるｓ３４２からｓ３７２の処理は、本発明における第２記録指令手段である。
【０１２４】
また、図４におけるｓ２３０，ｓ２５０の処理、図７におけるｓ４３０，ｓ４４０，ｓ４８０，４９０の処理、および、図９におけるｓ４２０の処理は、本発明における第３記録指令手段である。
また、図４におけるｓ２６０の処理、図７における４７０，ｓ５１０の処理、および、図９におけるｓ４３０の処理は、本発明における削除指令手段である。
【図面の簡単な説明】
【図１】本実施形態における通信システムの構成を示すブロック図
【図２】本実施形態における複合機の外観を示す図
【図３】第１実施形態におけるファクシミリ通信処理の処理手順を示すフローチャート
【図４】第１実施形態におけるログ収集処理の処理手順を示すフローチャート
【図５】ログテーブルのデータ構造を示す図
【図６】第２実施形態におけるファクシミリ通信処理の処理手順を示すフローチャート
【図７】第２実施形態におけるログ収集処理の処理手順を示すフローチャート
【図８】別の実施形態におけるファクシミリ通信処理の処理手順を示すフローチャート
【図９】別の実施形態におけるログページ収集処理の処理手順を示すフローチャート
【図１０】別の実施形態におけるファクシミリ通信処理の処理手順を示すフローチャート
【符号の説明】
１，２・・・通信システム、１００・・・複合機、１１２・・・ハンドセット、１１４・・・表示パネル、１１６・・・読取位置、１１８・・・給紙位置、１２０・・・操作パネル、１２２・・・入力ボタン、１２４・・・スピーカーホンボタン、１２６・・・スタートボタン、１２８・・・穴、１３２・・・ＣＰＵ、１３４・・・ＲＯＭ、１４０・・・ＲＡＭ、１５２・・・スキャナ部、１５４・・・モデム、１５６・・・プリンタ部、１６０・・・音声入出力部、１６２・・・スピーカ、１６４・・・マイク、１６６・・・駆動回路、１７２・・・ＰＣインターフェース部、１７４・・・回線制御部、１８０・・・メディアドライブ、１９０・・・バス、２００・・・パーソナルコンピュータ、２１２・・・ＣＰＵ、２１４・・・ＲＯＭ、２１６・・・ＲＡＭ、２２０・・・ハードディスク、２３２・・・外部インターフェース部、２３４・・・ネットワークインターフェース部、２４０・・・入力部、２４２・・・キーボード、２４４・・・マウス、２５０・・・バス、２５２・・・ディスプレイ、３００・・・通信ケーブル、７００・・・サーバ。
【図１】
2004304321.tif 000003
【図２】
2004304321.tif 000004
【図３】
2004304321.tif 000005
【図４】
2004304321.tif 000006
【図５】
2004304321.tif 000007
【図６】
2004304321.tif 000008
【図７】
2004304321.tif 000009
【図８】
2004304321.tif 000010
【図９】
2004304321.tif 000011
【図１０】
2004304321.tif 000012